(57)【要約】      （修正有）【課題】栽培中の植物を誘引する誘引紐と、この誘引紐を植物の上方に横向きに張った紐、ロープ等の支持具に係止する誘引紐用フックを使用する栽培作業の簡易化を実現し、作業労力の軽減を図る。【解決手段】植物よりも高所に張った支持具１に係止する支持具係止部２と、支持具１を導入して支持具係止部２に導入する導入口３と、誘引紐８を係止する誘引紐係止部７を設けた。誘引紐係止部７は支持具係止部２の下方に設けられ、導入口３はフック基板４の側面に開口されている。誘引紐係止部７に係止された誘引紐８を巻き付け可能な巻き軸１０を支持具係止部２の下方に形成した。導入口３に抜け防止片５を形成して、導入口３から支持具係止部２に導入された支持具１の抜けを防止可能とした。【選択図】図１
2005278431.tif 000002
【特許請求の範囲】
【請求項１】
栽培中の植物を誘引する誘引紐を、植物よりも高所に横向きに張った支持具に係止する植物誘引フックであり、当該フックは、支持具に係止する支持具係止部と、支持具を支持具係止部に導入可能な導入口と、誘引紐を係止する誘引紐係止部とを供え、導入口はフック基板の側面に開口され、誘引紐係止部は支持具係止部の下方に設けられたことを特徴とする誘引紐用フック。
【請求項２】
請求項1記載の誘引紐用フックにおいて、誘引紐係止部に係止された誘引紐を巻き付け可能な巻き軸が、支持具係止部の下方に形成されたことを特徴とする誘引紐用フック。
【請求項３】
請求項１又は請求項２記載の誘引紐用フックにおいて、導入口に抜け防止片が形成され、抜け防止片は支持具で押されると内側に傾斜して導入口が開き、支持具が導入口を通過すると自動復帰して導入口が閉塞又は縮小して、導入口から導入された支持具の抜けを防止可能であることを特徴とする誘引紐用フック。
【請求項４】
請求項１乃至請求項３のいずれかに記載の誘引紐用フックにおいて、誘引紐係止部はフック基板の側面に開口する差込口を供えるか、差込口のない孔としたことを特徴とする誘引紐用フック。
【発明の詳細な説明】
【技術分野】
【０００１】
本発明は栽培中の植物を誘引する誘引紐を、植物の上方に横向きに張った紐、ロープ等の支持具に係止する誘引紐用フックに関するものである。
【背景技術】
【０００２】
トマト、メロン、キュウリ、ピーマン等の植物栽培は、立体的栽培（立ち栽培）が多く行われている。立体的栽培には成長する茎や蔓をポールに結んで茎や蔓を誘引する栽培方法と、図５のように、植物Ａの上方に横向きに張った支持具Ｂに吊り下げた誘引紐Ｃに茎や蔓を螺旋状に巻き付けさせて誘引する栽培方法とがある。最近はポール資材の価格が高いことから、経費節減のため誘引紐Ｃを使用する栽培方法が多くなっている。
【発明の開示】
【発明が解決しようとする課題】
【０００３】
誘引紐Ｃを使用する栽培方法は、誘引紐が安価に入手できるというメリットはあるが、誘引紐を植物Ａの上方に横向きに張った支持具Ｂに一本ずつ結び付けなければならないため、誘引紐Ｃの本数が多くなると取付け作業が面倒であった。また、栽培終了後の誘引紐の片付け、整理も面倒で、多くの時間がかかっていた。
【課題を解決するための手段】
【０００４】
本件出願は前記した誘引紐を使用する栽培方法の各種課題を解決し、作業の簡易化を実現し、作業労力の軽減を図るために開発したものである。
【０００５】
本発明の誘引紐用フックは、栽培中の植物を誘引する誘引紐を、植物よりも高所に横向きに張った紐、ロープ等の支持具に係止する誘引紐用フックであり、当該フックは、支持具に係止する支持具係止部と、支持具を支持具係止部に導入可能な導入口と、誘引紐を係止する誘引紐係止部とを供えている。導入口はフック基板の側面に開口されて支持具に掛け易くしてあり、誘引紐係止部は支持具係止部の下方に設けて、誘引紐を下方に垂らし易くしてある。支持具係止部の下方には巻き軸を形成して、誘引紐係止部に係止された誘引紐を巻き付け可能としてある。導入口に抜け防止片を形成し、その抜け防止片は支持具で押されると内側に傾斜して導入口が開き、支持具が導入口を通過すると自動復帰して導入口が閉塞又は縮小して、導入口から導入された支持具の抜けを防止可能としてある。誘引紐係止部はフック基板の側面に開口する導入口を形成して、誘引紐を導入し易くするか、導入口のない孔としてある。
【発明の効果】
【０００６】
本件出願の誘引紐用フックは次のような効果がある。
１．支持具係止部の側方に導入口を設けたので、導入口を支持具に引っ掛けるだけで、支持具を支持具係止部に導入することができ、支持具への誘引紐用フックの係止が容易になり、誘引紐用フックの数が多くなっても係止作業にかかる手間が減少する。
２．誘引紐を係止する誘引紐係止部を支持具係止部の下方に設けたので、支持具係止部を植物の上方に横向きに張られている支持具に係止し、誘引紐係止部に誘引紐の上端を係止するだけで、手軽に、誘引紐を支持具に吊り下げることができる。
３．誘引紐係止部の下方に、誘引紐係止部に係止された誘引紐を巻き付け可能な巻き軸を設けたので、誘引紐係止部に係止した誘引紐の長さに余裕がある場合に、その余長部分を巻き軸に巻き付けて、下方に垂らす誘引紐の長さを調節することができる。
４．導入口に抜け防止片を形成し、抜け防止片は支持具で押されると内側に傾斜して導入口が開き、支持具が導入口から導入されると自動復帰して導入口が閉塞又は縮小して、支持具係止部に導入された支持具の抜けが防止されるようにしたため、導入口から内部に導入された支持具が不用意に抜け出ることがなく、支持具への係止が確実になる。また、支持具を上方に張る前に地上で、多数の誘引紐用フックを支持具に係止し、それから支持具を上方に張っても支持具から脱落することがない。上方に張った支持具に誘引紐用フックを係止する場合は、脚立とか踏み台に上って係止しなければならないが、地上で係止する場合は脚立とか踏み台を使用する必要が無いため、支持具への係止、離脱作業が安全且つ容易になり、作業能率も向上する。
【発明を実施するための最良の形態】
【０００７】
（実施の形態１）
本発明の植物誘引フックの一例を図１に基づいて説明する。図１の誘引紐用フックは略Ｓ字状に樹脂で成型されており、植物よりも高所に横向きに張った紐やロープ等の支持具１に係止する支持具係止部２を備えている。支持具１は従来から使用されているものと同じものでも異なるものでもよい。支持具係止部２は支持具１を係止可能な縦細長溝状に形成されている。支持具係止部２の下方には支持具１を導入可能な導入口３が形成されており、導入口３はフック基板４の側面に開口されている。導入口３はそこからに導入された支持具１を支持具係止部２に導入できるように支持具係止部２と連通させてある。導入口３は幅を広くし、また、外側下向きにして支持具１を導入し易く（支持具１に引っ掛け易く）してある。支持具係止部２の幅は支持具１の太さよりも多少狭くすると、支持具１が底に食い込んで挟着保持されて係止が確実になる。支持具係止部２の幅は場合によっては、支持具１の太さとするか、それよりも多少広くすることもできる。
【０００８】
前記導入口３の内側には抜け防止片５が形成されている。抜け防止片５は支持具１で押されると内側に傾斜して導入口３が開口し、支持具１が導入口３を通過すると自動復帰して導入口３を閉塞又は縮小して、導入口３からその内側に導入された支持具１が導入口３から抜けないようにしてある。抜け防止片５はフック基板４と一体成型された肉の薄い細長片であり、上部を内側にく字状に屈曲させて、その屈曲部外面を導入口３の側壁内面６に接近させるか接触させるかして、支持具１が通過できないようにしてある。また、抜け防止片５は樹脂の弾性で、内側に押すと内側に傾斜し、押しを解除すると外側に（押される前の状態に）自動的に復元できるようにしてある。
【０００９】
支持具係止部２より下方には誘引紐係止部７が形成されている。誘引紐係止部７も縦細長の溝状であり、その差込口９が誘引具係止部７の上方で導入口３と反対側に開口されている。差込口９も幅を広くして誘引紐８を差込み易くしてある。誘引紐係止部７の幅は誘引紐８の幅よりも狭くすると、誘引紐８を上方から下方に引いて誘引紐係止部７に圧入して挟着保持することができる。誘引紐係止部７の幅は場合によっては、支持具１の太さとするか、それよりも多少広くすることもできる。誘引紐８の端部に結び玉１３をつけると、誘引紐８が誘引紐係止部７から抜けにくくなる。
【００１０】
誘引紐係止部７の下方には、誘引紐係止部７に係止された誘引紐８を巻き付け可能な巻き軸１０が形成されている。巻き軸１０は縦長板状であり、その外周に誘引紐８を巻き付けることができるようにしてある。
【００１１】
巻き軸１０の下方には、抜け落ち防止片１１が形成されている。抜け落ち防止片１１は巻き軸１０に巻かれた誘引紐８が下方に抜け落ちたり、ずれ落ちたりするのを防止するためのものであり、碇状に形成されて巻き軸１０の両側方に上向きに突出している。
【００１２】
（実施の形態２）
本発明の植物誘引フックの第２の例を図３に基づいて説明する。図３の植物誘引フックは、図２の誘引紐用フックの抜け防止片５を除去し、図２の誘引紐用フックの差込口９を閉塞して、誘引紐係止部７の上方を丸孔１２にしたものである。丸孔１２の場合はそれに誘引紐８の端部を差込んで反対側に引き出し、引き出した端部を結んで結び玉を作り、その誘引紐８を下方に引いて誘引紐係止部７に圧入すると、誘引紐８が誘引紐係止部７に挟着保持されて係止し、また、結び玉が誘引紐係止部７から抜けなくなる。
【００１３】
（植物誘引フックの使用方法１）
図２の誘引紐用フックを使用する場合は、図１のように、栽培中の植物Ａの上に横向きに張ってある支持具１に導入口３を押し付けて抜け防止片５を内側に傾斜させ、導入口３を開いて支持具１を内部に進入させ、そのまま誘引紐用フックを引き下げて支持具１を支持具係止部２内まで進入させ、これにより、誘引紐用フックを支持具１に係止して吊り下げる。
【００１４】
次に、誘引紐係止部７の差込口９から誘引紐８を差し込み、誘引紐８を引き下げて誘引紐８を誘引紐係止部７に挟着保持させて係止する。この場合、植物の成長に合わせて誘引紐８の長さを調節し、余分な部分（余長部）を巻き軸１０に巻いておき、植物の成長につれて、巻き軸１０に巻いてあった誘引紐８の余長部をほどいて下方に伸ばし、植物を上方に誘引する。
【００１５】
（植物誘引フックの使用方法２）
図２の植物誘引フックの使用方法の他例を以下に示す。使用例１は予め、植物の上方に横向きに張ってある支持具に誘引紐用フックを係止する場合であるが、この使用例では、支持具１を上方に張らずに地上に置き、地上で、その支持具１に多くの誘引紐用フックの支持具係止部２を係止する。この場合、誘引紐用フックを支持具１に係止する前に、夫々の誘引紐用フックに誘引紐８を係止し、その誘引紐８を少し下方に垂らしておく。支持具係止部２の導入口３には抜け止め片５があるため、導入口３からその内側に導入された支持具１は導入口３から脱落しない。
【００１６】
支持具１へ多数の誘引紐用フックを係止し終えたら、支持具１を植物の上方に横向きに張る。
【００１７】
支持具１から垂れ下がっている誘引紐８を支持具１に沿って引いてスライドさせて、図４のように誘引紐用フックを所定間隔で支持具１に配置し、植物の上方に配置する。
【００１８】
支持具１から垂れ下がっている誘引紐８の長さを調節して植物Ａの茎や蔓を上方に誘引する。
【００１９】
（植物誘引フックの使用方法３）
図３の植物誘引フックも、図２の誘引紐用フックの使用例１、２と同様にして使用することができる。
【図面の簡単な説明】
【００２０】
【図１】本発明の誘引紐用フックの使用の一例を示す説明図。
【図２】本発明の誘引紐用フックの第一の例を示す詳細図。
【図３】本発明の誘引紐用フックの第二の例を示す詳細図。
【図４】本発明の誘引紐用フックの他の使用例を示す説明図。
【図５】従来の誘引方法の説明図。
【符号の説明】
【００２１】
１    支持具
２    支持具係止部
３    導入口
４    フック基板
５    抜け防止片
６    側壁内面
７    誘引紐係止部
８    誘引紐
９    差込口
１０    巻き軸
１１    抜け落ち防止片
１２    丸孔
１３    結び玉
Ａ    植物
【図１】
2005278431.tif 000003
【図２】
2005278431.tif 000004
【図３】
2005278431.tif 000005
【図４】
2005278431.tif 000006
【図５】
2005278431.tif 000007